(57)【要約】【課題】全体としての装置価格を高騰させることなく各種表示部に対して画像を表示させ得る表示装置および表示部に汎用性を持たせてリサイクル性に優れた表示装置を提供する。【解決手段】液晶パネル６２Ｂが搭載された液晶ディスプレイ１３Ｂと、液晶パネル６２Ｂに対して表示制御を実行するＣＰＵ３４およびＬＣＤコントローラ３６が搭載された表示制御用基板１１と、少なくとも液晶ディスプレイ１３Ｂおよび表示制御用基板１１のコネクタの形状や信号ラインの配置、映像信号の種類および信号のレベルなどの互いの電気的特性が合致するように液晶ディスプレイ１３Ｂおよび表示制御用基板１１を電気的に接続する接続用基板１２Ｃとインバータ基板１４とを備えている。【選択図】図６
2007065676.tif 000002
【特許請求の範囲】
【請求項１】
表示用素子が搭載された表示部と、前記表示用素子に対して表示制御を実行する表示制御用素子が搭載された表示制御部と、少なくとも前記表示部および前記表示制御部の互いの電気的特性が合致するように当該表示部および当該表示制御部を電気的に接続する接続部とを備えている表示装置において、
前記表示部および前記接続部を電気的に接続する副接続部を備え、当該副接続部には、前記表示制御部から出力された電力または電圧を変換して前記表示部に出力する変換器が搭載されている表示装置。
【請求項２】
前記接続部には、前記表示制御部に電気的に接続される第１のコネクタと、前記表示部に電気的に接続される第２のコネクタとが搭載され、前記副接続部と前記接続部および前記表示部と前記副接続部とを電気的に接続するためのコネクタが搭載されている請求項１に記載の表示装置。
【請求項３】
前記接続部には、前記表示制御用のクロック信号を生成して前記表示制御部の前記表示制御用素子に出力するクロック信号発振器が搭載されている請求項１または２に記載の表示装置。
【請求項４】
前記接続部には、前記表示制御部から出力されたディジタル信号をアナログ信号に変換して前記表示部の前記表示用素子に出力するディジタル／アナログ変換器が搭載されている請求項１から３のいずれか一項に記載の表示装置。
【請求項５】
前記接続部には、前記表示制御部から出力された信号のレベルを変換して前記表示部の前記表示用素子に出力するレベル変換器が搭載されている請求項１から４のいずれか一項に記載の表示装置。
【請求項６】
前記接続部には、前記表示制御部から出力されたディジタル信号をＬＶＤＳ変換して前記表示部の前記表示用素子に出力するＬＶＤＳ変換器が搭載されている請求項１から５のいずれか一項に記載の表示装置。
【請求項７】
請求項１から６のいずれか一項に記載の表示装置を備えている遊技機。
【発明の詳細な説明】
【技術分野】
【０００１】
本発明は、表示用素子に対して表示制御用素子が表示制御を実行する表示装置、およびその表示装置を備えた遊技機に関するものである。
【背景技術】
【０００２】
この種の表示装置として、特開２００１−１１３０１５号公報に開示された表示装置（可変表示装置）が知られている。この表示装置は、液晶パネルユニットと、画像表示制御基板とを備えて構成されている。この場合、画像表示制御基板には、補助ＣＰＵや画像制御ＩＣなどによって構成されて液晶パネルユニットに画像を表示させる画像表示回路が搭載されている。
【０００３】
【特許文献１】特開２００１−１１３０１５号公報（第４頁、第３図）
【発明の開示】
【発明が解決しようとする課題】
【０００４】
ところが、従来の表示装置には以下の課題がある。すなわち、この種の表示装置における液晶パネルユニットは、一般的に、大きさや形状が異なるときには作動用電力の電圧やクロック信号の周波数等の電気的特性も互いに異なっている。したがって、この種の表示装置には、液晶パネルユニットの種類に応じて、その電気的特性に適応する専用の画像表示制御基板が備えられている。このため、主要な機能が共通であったとしても、液晶パネルユニットの種類に応じて異なる種類の画像表示制御基板を複数製作する必要があるため、画像表示制御基板の製作コスト、ひいては表示装置の装置価格が高騰するという課題が存在する。
【０００５】
本発明は、かかる課題に鑑みてなされたものであり、全体としての装置価格を高騰させることなく各種表示部に対して画像を表示させ得る表示装置および遊技機を提供することを主目的とする。また、表示部の汎用性を高めてリサイクル性に優れた表示装置を提供することを他の主目的とする。
【課題を解決するための手段】
【０００６】
上記目的を達成すべく本発明に係る表示装置は、表示用素子が搭載された表示部と、前記表示用素子に対して表示制御を実行する表示制御用素子が搭載された表示制御部と、少なくとも前記表示部および前記表示制御部の互いの電気的特性が合致するように当該表示部および当該表示制御部を電気的に接続する接続部とを備えた表示装置において、前記表示部および前記接続部を電気的に接続する副接続を備え、当該副接続部には、前記表示制御部から出力された電力または電圧を変換して前記表示部に出力する変換器が搭載されている。
【０００７】
この表示装置によれば、接続部が、表示部と表示制御部とを少なくとも両者の互いの電気的特性が合致するように電気的に接続することにより、例えば、作動用電力の電圧やクロック信号の周波数などの電気的特性がそれぞれ異なる複数の種類の表示装置に同じ表示制御部を用いて画像を表示することができる。したがって、表示制御部を共通化することができるため、全体としての装置価格を高騰させることなく各種表示部に対して画像を表示させることができる。また、表示部のリサイクル性にも優れる。
【０００８】
さらに、この表示装置によれば、副接続部が、表示部と接続部とを電気的に接続することにより、接続部を共通化できるため、表示装置の装置価格を低減することができ、接続部の変換器が、表示制御部から出力された電力または電圧を変換して表示部に出力することにより、作動用電力や電圧が異なる表示部に対しても、表示制御部を変更することなく画像を表示させることができる。
【０００９】
また、本発明に係る表示装置は、上記の表示装置において、前記接続部には、前記表示制御部に電気的に接続される第１のコネクタと、前記表示部に電気的に接続される第２のコネクタとが搭載されている。
【００１０】
この表示装置によれば、接続部の第１のコネクタを表示制御部に接続し、かつ接続部の第２のコネクタを表示部に接続することにより、例えば、表示部のコネクタと表示制御部のコネクタとの形状や信号ラインの配置が互いに異なる場合であっても、表示制御部と表示部とを接続部を介して電気的に確実に接続することができる。
【００１１】
さらに、この表示装置によれば、前記副接続部と前記接続部および前記表示部と前記副接続部とをコネクタで接続することにより、副接続部の変換器が、接続部から出力された電力または電圧を変換して表示部に出力することにより、作動用電力または電圧が異なる表示部に対しても、表示制御部および接続部を変更することなく画像を表示させることができる。
【００１２】
また、本発明に係る表示装置は、上記の表示装置において、前記接続部には、前記表示制御用のクロック信号を生成して前記表示制御部の前記表示制御用素子に出力するクロック信号発振器が搭載されている。
【００１３】
この表示装置によれば、接続部のクロック信号発振器が表示制御用のクロック信号を表示制御部の表示制御素子に出力することにより、クロック信号の異なる表示部に対しても、表示制御部を変更することなく画像を表示させることができる。
【００１４】
また、本発明に係る表示装置は、上記の表示装置において、前記接続部には、前記表示制御部から出力されたディジタル信号をアナログ信号に変換して前記表示部の前記表示用素子に出力するディジタル／アナログ変換器が搭載されている。
【００１５】
この表示装置によれば、接続部のディジタル／アナログ変換器が、表示制御部から出力されたディジタル信号をアナログ信号に変換して表示部に出力することにより、アナログ信号を入力して作動するタイプの表示部に対しても、表示制御部を変更することなく画像を表示させることができる。
【００１６】
また、本発明に係る表示装置は、上記の表示装置において、前記接続部には、前記表示制御部から出力された信号のレベルを変換して前記表示部の前記表示用素子に出力するレベル変換器が搭載されている。
【００１７】
この表示装置によれば、接続部のレベル変換器が、表示制御部から出力された信号のレベルを表示部に合致するレベルに変換して表示部に出力することにより、表示制御部側の信号レベルと異なるレベルの信号を入力して作動するタイプの表示部に対しても、表示制御部を変更することなく画像を表示させることができる。
【００１８】
また、本発明に係る表示装置は、上記の表示装置において、前記接続部には、前記表示制御部から出力されたディジタル信号をＬＶＤＳ変換して前記表示部の前記表示用素子に出力するＬＶＤＳ変換器が搭載されている。
【００１９】
この表示装置によれば、接続部のレベル変換器が、表示制御部から出力されたディジタル信号をＬＶＤＳ変換することにより、ＬＶＤＳ規格の信号を入力して作動するタイプの表示部に対しても、表示制御部を変更することなく画像を表示させることができる。
【００２０】
また、本発明に係る遊技機は、上記のいずれかに記載の表示装置を備えている。
【００２１】
この遊技機によれば、上記の表示装置を備えたことにより、上記の表示装置が有する効果と同様の効果を実現することができる。
【発明を実施するための最良の形態】
【００２２】
以下、添付図面を参照して、本発明に係る表示装置および遊技機の最良の形態について説明する。
【００２３】
最初に、パチンコ台１（本発明に係る遊技機の一例）の構成について、図面を参照して説明する。図１に示すパチンコ台１は、一例として、抽選によって「大当たり」が生じる「セブン機」タイプのパチンコ台であって、例えば数字（同図では、一例として「１２３」の数字を示す）の画像Ｇを遊技盤２１の中央部に配設された液晶ディスプレイ１３に表示可能に構成されている。具体的には、このパチンコ台１は、図２に示すように、遊技機構２、主制御部３、主記憶部４、主電源５および表示装置６を備えて構成されている。遊技機構２は、遊技盤２１および駆動機構２７を備えている。遊技盤２１は、全体として正面視が例えば長方形の板状に形成され、図１に示すように、枠部材Ｆによって区画された正面視円形の遊技部２１ａ内で遊技球が移動可能に構成されている。この場合、遊技部２１ａには、同図に示すように、複数の釘２２，２２・・、スタートチャッカー２３、大入賞口（アタッカー）２４、入賞口２５，２５・・および風車２６，２６などの遊技用部品が配設されている。駆動機構２７は、筐体内に配設されて、主制御部３の指示に従って遊技球の回収や払出しなどを行う。
【００２４】
主制御部３は、駆動機構２７および表示装置６を統括的に制御すると共に、スタートチャッカー２３に遊技球が入賞した際に抽選を実行する。また、主制御部３は、例えば抽選の開始時や大当たりの発生時などの遊技状態の変化時にコマンドＣを出力することにより、表示装置６に各種画像Ｇを表示させる。主記憶部４は、主制御部３の動作プログラムなどを記憶する。主電源５は、遊技機構２、主制御部３、主記憶部４および表示装置６に作動用電力を供給する。
【００２５】
表示装置６は、図３に示すように、表示制御用基板１１、接続用基板１２および液晶ディスプレイ１３を備えて構成されている。表示制御用基板１１は、本発明における表示制御部に相当し、主制御部３からのコマンドＣに基づいて液晶ディスプレイ１３の液晶パネル６２に各種画像Ｇを表示させる機能を有している。具体的には、表示制御用基板１１は、同図に示すように、コネクタ３１、電源コネクタ３２、Ｉ／Ｆ回路３３、ＣＰＵ３４、ＯＳＣ３５、ＬＣＤコントローラ３６、リセット回路３７、電源回路３８、ＣＧＲＯＭ３９、ＯＳＣ４０、ファームＲＯＭ４１、ホストＲＡＭ４２、ＶＲＡＭ４３、ＯＳＣ４４、スイッチ４５およびコネクタ４６を備えている（搭載している）。
【００２６】
Ｉ／Ｆ回路３３は、主制御部３から出力されてコネクタ３１を介して入力したコマンドＣをＣＰＵ３４で処理可能な信号形式に変換する。ＣＰＵ３４は、ＬＣＤコントローラ３６と共に本発明における表示制御用素子に相当し、コマンドＣに従って表示制御を実行することにより、各種画像Ｇを表示させるための図柄指定データを生成してＬＣＤコントローラ３６に出力する。ＯＳＣ３５は、ＣＰＵ３４を作動させるためのクロック信号を生成する。ファームＲＯＭ４１は、ＣＰＵ３４を作動させるためのプログラムを記憶する。ホストＲＡＭ４２は、ＣＰＵ３４によって生成された各種データを一時的に記憶する。
【００２７】
ＣＧＲＯＭ３９は、後述する表示用画像データを生成するための数字等の図柄データを記憶する。ＯＳＣ４０は、ＬＣＤコントローラ３６を作動させるためのクロック信号を生成する。ＶＲＡＭ４３は、ＬＣＤコントローラ３６により図柄が仮想的に描画されることによって生成される表示用画像データを記憶する。ＯＳＣ４４は、液晶ディスプレイ１３が液晶パネル６２に画像を表示する際のドットクロック周波数（一例として２５ＭＨｚのクロック周波数）に対応したクロック信号を生成する。スイッチ４５は、ＯＳＣ４４から出力されるクロック信号、およびコネクタ４６を介して外部装置（例えば、接続用基板１２）から入力するクロック信号のいずれか一方を切り換えてＬＣＤコントローラ３６に入力させる。なお、この表示装置６では、ＯＳＣ４４から出力されるクロック信号をＬＣＤコントローラ３６に出力するようにスイッチ４５が予め切り換えられている。ＬＣＤコントローラ３６は、ＣＰＵ３４と共に本発明における表示制御用素子に相当し、ＣＰＵ３４から出力された図柄指定データで指定された図柄データをＣＧＲＯＭ３９から読み出すと共に、読み出した図柄データに対応する図柄をＶＲＡＭ４３内に仮想的に描画することによって表示用画像データを生成する（ＶＲＡＭ４３に記憶させる）。また、ＬＣＤコントローラ３６は、ＶＲＡＭ４３に記憶させた表示用画像データを読み出して、ＯＳＣ４４から出力されたクロック信号に同期させたディジタルの映像信号に変換して出力する。
【００２８】
電源回路３８は、主電源５から供給された例えば直流１２Ｖの作動用電力を電源コネクタ３２を介して入力し、直流５Ｖ、直流３．３Ｖおよび直流１．８Ｖの各電圧に変換して表示制御用基板１１内の各回路に出力する。リセット回路３７は、電源コネクタ３２を介して入力したリセット信号に基づいてＣＰＵ３４およびＬＣＤコントローラ３６をリセット（初期化）する。コネクタ４６は、後述する接続用基板１２のコネクタ５１に図外のケーブルで接続されている。この場合、ＬＣＤコントローラ３６から出力されたディジタルの映像信号は、コネクタ４６およびコネクタ５１を介して接続用基板１２に出力される。また、直流１２Ｖ、直流５Ｖおよび直流３．３Ｖの各作動用電力の内の直流５Ｖの作動用電力がコネクタ４６およびコネクタ５１を介して接続用基板１２に供給され、直流１２Ｖおよび直流５Ｖの各作動用電力がコネクタ４６、コネクタ５１および後述するコネクタ５２を介して液晶ディスプレイ１３に供給される。
【００２９】
接続用基板１２は、本発明における接続部に相当し、表示制御用基板１１および液晶ディスプレイ１３の互いの電気的特性が合致するように両者を電気的に接続する機能を有している。具体的には、接続用基板１２は、図３に示すように、コネクタ５１，５２、ＤＡＣ（ディジタル／アナログコンバータ）５３およびレベル変換器５４を備えている（搭載している）。コネクタ５１は、本発明における第１のコネクタに相当し、図外の接続ケーブルを介して表示制御用基板１１のコネクタ４６に接続されている。また、コネクタ５１は、本発明における第２のコネクタに相当するコネクタ５２に接続用基板１２の内部配線を介して接続されている。ＤＡＣ５３は、本発明におけるディジタル／アナログ変換器に相当し、コネクタ５１を介して入力したディジタルの映像信号を液晶ディスプレイ１３による画像処理が可能なアナログのＲＧＢ信号に変換する。レベル変換器５４は、ディジタルの映像信号に含まれる同期信号を液晶ディスプレイ１３に合致するレベルの同期信号に変換する。
【００３０】
液晶ディスプレイ１３は、本発明における表示部に相当し、図３に示すように、液晶パネル６２（本発明における「表示用素子」に相当する）およびコネクタ６１を備えている（搭載している）。この場合、液晶ディスプレイ１３は、コネクタ６１を介して供給される直流１２Ｖおよび直流５Ｖの作動用電力で作動する。また、液晶ディスプレイ１３は、コネクタ６１を介して入力した２５ＭＨｚのドットクロック周波数に応じた液晶ディスプレイ１３に合致するレベルの同期信号とアナログのＲＧＢ信号とに基づいて液晶パネル６２に画像を表示する。
【００３１】
次に、パチンコ台１の全体的な動作について、図面を参照して説明する。このパチンコ台１では、電源が投入された際に、主電源５が、パチンコ台１内の各構成要素に例えば直流１２Ｖの作動用電力を供給する。次に、表示制御用基板１１のリセット回路３７が、電源コネクタ３２を介して入力したリセット信号に基づいてＣＰＵ３４およびＬＣＤコントローラ３６をリセットする。次いで、表示制御用基板１１の電源回路３８が、直流１２Ｖの作動用電力を直流５Ｖ、直流３．３Ｖおよび直流１．８Ｖの各作動用電力に変換して、表示制御用基板１１内の各回路に出力する。この際に、直流５Ｖの作動用電力がコネクタ４６およびコネクタ５１を介して接続用基板１２に供給されると共に、直流１２Ｖおよび直流５Ｖの各作動用電力が液晶ディスプレイ１３に供給される。
【００３２】
次に、主制御部３が、例えば図１に示す画像Ｇを表示させるためコマンドＣを出力する。次いで、表示制御用基板１１のＩ／Ｆ回路３３が、コネクタ３１を介して入力したコマンドＣの信号形式を変換してＣＰＵ３４に出力する。これに応じて、ＣＰＵ３４が、コマンドＣの内容を判別して表示制御を実行する。この表示制御では、ＣＰＵ３４は、コマンドＣに従って各種画像Ｇを表示させるための図柄指定データを生成してＬＣＤコントローラ３６に出力する。続いて、ＬＣＤコントローラ３６が、ＣＰＵ３４から出力された図柄指定データで指定された図柄データをＣＧＲＯＭ３９から読み出しつつ、図柄データに対応する図柄をＶＲＡＭ４３内に仮想的に描画することによって表示用画像データを生成する。次に、ＬＣＤコントローラ３６は、ＶＲＡＭ４３に記憶させた表示用画像データを読み出して、ＯＳＣ４４から出力されたクロック信号に同期させたディジタルの映像信号に変換して出力する。
【００３３】
次いで、接続用基板１２のＤＡＣ５３がコネクタ５１を介して入力したディジタルの映像信号をＲＧＢ信号に変換する映像信号変換処理を実行する。また、レベル変換器５４が、ディジタルの映像信号に含まれる同期信号を液晶ディスプレイ１３に合致するレベルの同期信号に変換する同期信号変換処理を実行する。この場合、ＤＡＣ５３が映像信号変換処理を実行し、レベル変換器５４が同期信号変換処理を実行することにより、表示制御用基板１１から出力された映像信号および同期信号が液晶ディスプレイ１３での処理が可能な映像信号および同期信号にそれぞれ変換される。つまり、接続用基板１２によって液晶ディスプレイ１３および表示制御用基板１１の互いの電気的特性が合致するように両者が接続される。続いて、液晶ディスプレイ１３が、コネクタ６１を介して入力したアナログのＲＧＢ信号と液晶ディスプレイ１３に合致するレベルの同期信号とに基づいて液晶パネル６２に画像Ｇを表示する。これにより、図１に示すように、液晶パネル６２に表示された画像Ｇが視認される。
【００３４】
このように、このパチンコ台１および表示装置６によれば、接続用基板１２が、液晶ディスプレイ１３と表示制御用基板１１とを少なくとも両者の互いの電気的特性が合致するように電気的に接続することにより、例えば、コネクタの形状、映像信号の種類、同期信号のレベルなどの電気的特性がそれぞれ異なる複数の種類の液晶ディスプレイ１３に同じ表示制御用基板１１を用いて画像Ｇを表示することができる。したがって、表示制御用基板１１を共通化することができるため、表示装置６の全体としての価格を高騰させることなく、ひいてはパチンコ台１の価格を高騰させることなく各種表示部に対して画像Ｇを表示させることができる。また、液晶ディスプレイ１３をリサイクルすることができる。
【００３５】
また、接続用基板１２のコネクタ５１と表示制御用基板１１のコネクタ４６とを電気的に接続し、かつ接続用基板１２のコネクタ５２と液晶ディスプレイ１３のコネクタ６１とを電気的に接続することにより、例えば、液晶ディスプレイ１３のコネクタ６１と表示制御用基板１１のコネクタ４６との形状や信号ラインの配置が互いに異なる場合であっても、表示制御用基板１１と液晶ディスプレイ１３とを接続用基板１２を介して電気的に確実に接続することができる。
【００３６】
また、接続用基板１２のＤＡＣ５３が、表示制御用基板１１から出力されたディジタルの映像信号をアナログのＲＧＢ信号に変換して液晶ディスプレイ１３に出力することにより、アナログのＲＧＢ信号を入力して作動するタイプの液晶ディスプレイ１３に対して、表示制御用基板１１を変更することなく画像Ｇを表示させることができる。
【００３７】
また、接続用基板１２のレベル変換器５４が、表示制御用基板１１から出力された同期信号のレベルを液晶ディスプレイ１３に合致するレベルの同期信号に変換して液晶ディスプレイ１３に出力することにより、表示制御用基板１１側の同期信号のレベルと異なるレベルの同期信号を入力して作動するタイプの液晶ディスプレイ１３に対して、表示制御用基板１１を変更することなく画像Ｇを表示させることができる。
【００３８】
次に、図４に示す表示装置６Ａについて説明する。なお、表示装置６Ａおよび後述する表示装置６Ｂ〜６Ｄには、基本的に本発明が適用されている。したがって、表示装置６と共通する構成要素については同一の符号を用いて重複した説明を省略する。表示装置６Ａは、同図に示すように、表示制御用基板１１、接続用基板１２Ａ、およびドットクロック周波数が例えば４８ＭＨｚのクロック信号で作動する液晶ディスプレイ１３Ａを備えている。この場合、接続用基板１２Ａには、クロック周波数が４８ＭＨｚのクロック信号を出力するＯＳＣ５５（本発明における「クロック信号発振器」に相当する）が搭載されている。なお、この表示装置６Ａでは、表示制御用基板１１のスイッチ４５が、コネクタ４６，５１を介してＯＳＣ５５とＬＣＤコントローラ３６とを接続するように予め切り換えられている。
【００３９】
この表示装置６Ａでは、表示制御用基板１１のＬＣＤコントローラ３６が、接続用基板１２ＡのＯＳＣ５５から出力されてコネクタ５１，４６およびスイッチ４５を介して入力した４８ＭＨｚのクロック信号に同期させたディジタルの映像信号を接続用基板１２Ａに出力する。また、接続用基板１２ＡのＤＡＣ５３が上記の映像信号変換処理を実行し、レベル変換器５４が上記の同期信号変換処理を実行する。つまり、接続用基板１２Ａによって液晶ディスプレイ１３Ａおよび表示制御用基板１１の互いの電気的特性が合致するように両者が接続される。これにより、ドットクロック周波数が例えば４８ＭＨｚのクロック信号で作動する液晶ディスプレイ１３Ａの液晶パネル６２Ａに画像Ｇが表示される。
【００４０】
この表示装置６Ａによれば、接続用基板１２ＡのＯＳＣ５５が液晶ディスプレイ１３Ａによる表示処理が可能な４８ＭＨｚのドットクロック周波数に同期させたディジタルの映像信号を生成するためのクロック信号を出力することにより、表示制御用基板１１の構成を変更することなく上記の液晶ディスプレイ１３とは異なる液晶ディスプレイ１３Ａにも画像Ｇを表示することができる。
【００４１】
次に、図５に示す表示装置６Ｂについて説明する。この表示装置６Ｂは、同図に示すように、表示制御用基板１１、接続用基板１２Ｂ、およびＬＶＤＳ（Low Voltage Differential Signaling)規格のディジタル信号で作動すると共にバックライト６４を有する液晶ディスプレイ１３Ｂを備えている。この場合、接続用基板１２Ｂには、コネクタ５１，５２，５８、ＬＶＤＳ変換器５６およびインバータ５７（本発明における「変換器」に相当する）が搭載されている。ＬＶＤＳ変換器５６は、表示制御用基板１１から出力されたディジタルの映像信号をＬＶＤＳ変換する。インバータ５７は、表示制御用基板１１から出力される直流１２Ｖの作動用電力をバックライト６４を点灯させるための例えば交流５００Ｖの作動用電力に変換する。なお、直流および交流が本発明における「電力」に相当し、１２Ｖおよび５００Ｖが本発明における「電圧」に相当する。また、液晶ディスプレイ１３Ｂは、直流３．３ＶおよびＬＶＤＳ規格のディジタルの映像信号が入力可能なコネクタ６１、液晶パネル６２Ｂ、交流５００Ｖの作動用電力を入力するコネクタ６３、およびバックライト６４を備えている。
【００４２】
この表示装置６Ｂでは、表示制御用基板１１から供給された直流１２Ｖおよび直流３．３Ｖの作動用電力がコネクタ５１を介して、接続用基板１２Ｂに供給される。また、接続用基板１２ＢのＬＶＤＳ変換器５６が、表示制御用基板１１から出力されてコネクタ５１を介して入力したディジタルの映像信号をＬＶＤＳ変換して出力する。さらに、インバータ５７が、直流１２Ｖの作動用電力を交流５００Ｖの作動用電力に変換してコネクタ５８およびコネクタ６３を介して液晶ディスプレイ１３Ｂのバックライト６４に供給する。つまり、接続用基板１２Ｂによって液晶ディスプレイ１３Ｂおよび表示制御用基板１１の互いの電気的特性が合致するように両者が接続される。これにより、ＬＶＤＳ規格の液晶ディスプレイ１３Ｂの液晶パネル６２Ｂに画像Ｇが表示されると共に、バックライト６４が点灯して、画像Ｇが明るく視認される。
【００４３】
この表示装置６Ｂによれば、接続用基板１２ＢのＬＶＤＳ変換器５６が表示制御用基板１１から出力されたディジタルの映像信号をＬＶＤＳ規格の信号に変換し、インバータ５７が表示制御用基板１１から出力された直流１２Ｖの作動用電力をバックライト６４を点灯させるための作動用電力に変換することにより、表示制御用基板１１の構成を変更することなくＬＶＤＳ規格の信号によって作動する液晶ディスプレイ１３Ｂに画像Ｇを表示することができる。
【００４４】
次に、図６に示す表示装置６Ｃについて説明する。この表示装置６Ｃは、上記した表示装置６Ｂにおける接続用基板１２Ｂに代えて、接続用基板１２Ｂの機能を分割した接続用基板１２Ｃ、およびインバータ基板１４（本発明における「副接続部」に相当する）を備えて構成されている。この場合、接続用基板１２Ｃは、接続用基板１２Ｃの内部配線を介してコネクタ５１に接続されて直流１２Ｖの作動用電力をインバータ基板１４に出力するコネクタ７１を備えている。また、インバータ基板１４は、図外のケーブルで接続用基板１２Ｃのコネクタ７１に接続されたコネクタ７２、インバータ５７およびコネクタ５８を備えて構成されている。また、インバータ基板１４は、安全対策、およびノイズの放射対策のために全体がシールドされている。
【００４５】
この表示装置６Ｃでは、接続用基板１２ＣのＬＶＤＳ変換器５６が、表示制御用基板１１から出力されてコネクタ５１を介して入力したディジタルの映像信号をＬＶＤＳ変換して出力する。また、インバータ基板１４のインバータ５７が、直流１２Ｖの作動用電力を交流５００Ｖの作動用電力に変換してコネクタ５８およびコネクタ６３を介して液晶ディスプレイ１３Ｂのバックライト６４に供給する。つまり、接続用基板１２Ｃおよびインバータ基板１４によって液晶ディスプレイ１３Ｂおよび表示制御用基板１１の互いの電気的特性が合致するように両者が接続される。これにより、表示装置６Ｂと同様にして液晶ディスプレイ１３Ｂの液晶パネル６２Ｂに表示された画像Ｇが明るく視認される。
【００４６】
この表示装置６Ｃにおいても、接続用基板１２ＣのＬＶＤＳ変換器５６が表示制御用基板１１から出力されたディジタルの映像信号をＬＶＤＳ規格の信号に変換し、インバータ基板１４のインバータ５７が直流１２Ｖの作動用電力をバックライト６４を点灯させるための作動用電力に変換することにより、表示制御用基板１１の構成を変更することなく液晶ディスプレイ１３Ｂに画像Ｇを表示することができる。この場合、接続用基板１２Ｃとインバータ基板１４とを別体に構成したことにより、インバータ基板１４を変更するだけで作動用電力の電圧が異なる他の種類のバックライトを点灯させることができる。
【００４７】
なお、本発明は、上記の構成に限定されない。例えば、図７に示すように、表示制御用基板１１（図４）におけるＯＳＣ４４およびスイッチ４５を省略した表示制御用基板１１Ａを備えた表示装置６Ｄを採用することもできる。この場合、同図に示すように、接続用基板１２ＡにおけるＯＳＣ５５から出力されるクロック信号をコネクタ５１およびコネクタ４６を介してＬＣＤコントローラ３６に入力させることで、表示装置６Ａと同様に動作させることができる。また、各コネクタ同士をケーブルで接続した例について上記したが、各コネクタ同士を直接接続する構成を採用することもできるし、各コネクタ間をフレキシブル基板を用いて接続する構成を採用することもできる。また、直流の作動用電力から交流の作動用電力への変換、およびこれらの電圧の変換の双方をインバータ５７が行う例について上記したが、本発明における変換器には、これらのいずれか一方のみを行う変換器も含まれる。
【００４８】
また、表示部として液晶ディスプレイ１３，１３Ａ，１３Ｂを用いた構成例について上記したが、本発明における表示部には、ＣＲＴ、プラズマディスプレイおよびプロジェクタ等が含まれる。また、パチンコ台１に本発明を適用した例について上記したが、本発明に係る遊技機には、スロットマシン、ピンボールマシンおよび各種のアーケードゲーム等が含まれる。また、テレビジョン装置等の各種の表示装置に本発明を適用できるのは勿論である。
【図面の簡単な説明】
【００４９】
【図１】パチンコ台１の正面図である。
【図２】パチンコ台１の構成を示すブロック図である。
【図３】表示装置６の構成を示すブロック図である。
【図４】表示装置６Ａの構成を示すブロック図である。
【図５】表示装置６Ｂの構成を示すブロック図である。
【図６】表示装置６Ｃの構成を示すブロック図である。
【図７】表示装置６Ｄの構成を示すブロック図である。
【符号の説明】
【００５０】
１…パチンコ台、６，６Ａ，６Ｂ，６Ｃ，６Ｄ…表示装置、１１…表示制御用基板、１２，１２Ａ，１２Ｂ，１２Ｃ…接続用基板、１３，１３Ａ，１３Ｂ…液晶ディスプレイ、１４…インバータ基板、３４…ＣＰＵ、３６…ＬＣＤコントローラ、５１，５２…コネクタ、５３…ＤＡＣ、５４…レベル変換器、５５…ＯＳＣ、５６…ＬＶＤＳ変換器、５７…インバータ、６２，６２Ａ，６２Ｂ…液晶パネル。
【図１】
2007065676.tif 000003
【図２】
2007065676.tif 000004
【図３】
2007065676.tif 000005
【図４】
2007065676.tif 000006
【図５】
2007065676.tif 000007
【図６】
2007065676.tif 000008
【図７】
2007065676.tif 000009